【手続補正書】
【提出日】令和3年1月26日(2021.1.26)
【手続補正１】
【補正対象書類名】特許請求の範囲
【補正対象項目名】全文
【補正方法】変更
【補正の内容】
【特許請求の範囲】
【請求項１】
導波管デバイスであって、
少なくとも１つの光学基板と、
少なくとも１つの光源と、
少なくとも１つの光結合器であって、前記少なくとも１つの光結合器は、一意の全内部反射（ＴＩＲ）角度が入力格子において決定されるような各光入射角によって画定されるように、ある角度帯域幅を伴う前記光源からの入射光を前記少なくとも１つの光学基板内のＴＩＲの中に結合することが可能である、少なくとも１つの光結合器と、
前記光学基板から光を抽出するための少なくとも１つの光抽出器と、
バンディング除去光学であって、前記バンディング除去光学は、前記抽出された光が軽減されたバンディングを有する略平坦照明プロファイルであるように、照明された瞳のバンディング効果を軽減することが可能である、バンディング除去光学と
を備える、導波管デバイス。
【請求項２】
前記抽出された光は、１０％または２０％のいずれか一方未満の空間非均一性を有する、請求項１に記載の導波管デバイス。
【請求項３】
前記バンディング除去光学は、有効入力開口であり、前記有効入力開口は、前記光学基板が厚さＤを有するとき、前記入力開口が、前記光学基板内のＴＩＲ角度Ｕを提供するように構成され、前記角度Ｕが、２Ｄ  ｔａｎ（Ｕ）によって計算されるようなものである、請求項１に記載の導波管デバイス。
【請求項４】
前記バンディング除去光学は、ＴＩＲ経路に沿って、回折効率、光学透過、偏光、または複屈折のうちの少なくとも１つの前記光の空間変動を提供する、請求項３に記載の導波管デバイス。
【請求項５】
前記バンディング除去光学は、少なくとも１つの入力格子および少なくとも１つの出力格子から選択された少なくとも１つの格子であり、前記選択された少なくとも１つの格子は、
複数の格子であって、各格子が、小瞳偏移を提供し、バンディングを軽減させるようなものである、複数の格子、
電圧が印加されると、オンになり、瞳を偏移させ、バンディング効果を軽減させるスタックされた切替可能な格子、
電圧が印加されると、特定の要素をオンにし、瞳を偏移させ、バンディング効果を軽減させることが可能な、切替可能な格子要素のアレイ、
電圧が印加されると、特定の要素をオンにし、瞳を偏移させ、バンディング効果を軽減させることが可能な、切替可能な格子要素のアレイであって、前記選択された少なくとも１つの格子は、複数の回転Ｋベクトルを有する、切替可能な格子要素のアレイ、
瞳を偏移させ、バンディング効果を軽減させるように構成される、複数の受動格子層、
１つ以上の屈折率層であって、前記１つ以上の屈折率層は、前記１つ以上の屈折率層が、光線角度または光線位置のうちの少なくとも１つの関数として、前記光学基板内の光線経路に影響を及ぼし、瞳を偏移させ、バンディング効果を軽減させるように、前記光学基板内に配置される、１つ以上の屈折率層、
１つ以上の屈折率層であって、前記１つ以上の屈折率層は、前記１つ以上の屈折率層が、光線角度または光線位置のうちの少なくとも１つの関数として、前記光学基板内の光線経路に影響を及ぼし、瞳を偏移させ、バンディング効果を軽減させるように、前記光学基板内に配置され、前記１つ以上の屈折率層の少なくとも１つの屈折率層は、勾配屈折率（ＧＲＩＮ）媒体である、１つ以上の屈折率層
の群から選択される構成である、請求項１に記載の導波管デバイス。
【請求項６】
少なくとも１つの反射表面を前記光学基板の縁の少なくとも一部上にさらに備え、前記バンディング除去光学は、１つ以上の屈折率層であり、前記１つ以上の屈折率層は、前記１つ以上の屈折率層が、瞳を偏移させ、バンディング効果を軽減させるように構成されるように、前記少なくとも１つの反射表面に隣接して配置される、請求項１に記載の導波管デバイス。
【請求項７】
前記バンディング除去光学は、
１つ以上の屈折率層であって、前記１つ以上の屈折率層は、前記１つ以上の屈折率層が、瞳を偏移させ、バンディング効果を軽減させるように構成されるように、前記光学基板内に配置される、１つ以上の屈折率層、
前縁を有する入力格子であって、前記前縁は、前記入力格子の前記前縁に対する光の光線束の一意の変位が任意の所与の入射光方向のために前記入力格子によって提供され、瞳を偏移させ、バンディング効果を軽減させるように、前記入射光を結合することが可能である、入力格子、
入力格子であって、前記入力格子は、前記入射光の複数のコリメートされた入射光線経路が、光線経路入力角度によって決定されるような異なるＴＩＲ光線経路の中に回折され、投影された瞳が、前記複数のコリメートされた入射光線経路毎に、前記光学基板内の一意の場所に形成され、バンディング効果を軽減させることが可能であるように、回折効率の変動を有するように構成される、入力格子、
入力格子であって、前記入力格子は、前記入射光の複数のコリメートされた入射光線経路が、光線経路入力角度によって決定されるような異なるＴＩＲ光線経路の中に回折され、投影された瞳が、前記複数のコリメートされた入射光線経路毎に、前記光学基板内の一意の場所に形成され、バンディング効果を軽減させることが可能であるように、回折効率の変動を有するように構成され、前記回折効率の変動は、主導波管方向に沿って変動する、入力格子、
入力格子であって、前記入力格子は、前記入射光の複数のコリメートされた入射光線経路が、光線経路入力角度によって決定されるような異なるＴＩＲ光線経路の中に回折され、投影された瞳が、前記複数のコリメートされた入射光線経路毎に、前記光学基板内の一意の場所に形成され、バンディング効果を軽減させることが可能であるように、回折効率の変動を有するように構成され、前記回折効率の変動は、前記入力格子の開口にわたって２次元で変動する、入力格子
の群から選択される、請求項１に記載の導波管デバイス。
【請求項８】
前記バンディング除去光学は、
部分反射層であって、前記部分反射層は、前記部分反射層が、入射光を透過光および反射光に分離し、瞳を偏移させ、バンディング効果を軽減させるように、前記光学基板内に配置される、部分反射層、
偏光修正層であって、前記偏光修正層は、前記偏光修正層が、入射光を透過光および反射光に分離し、瞳を偏移させ、バンディング効果を軽減させるように、前記光学基板内に配置される、偏光修正層、
複数の屈折率層であって、前記複数の屈折率層は、各ＴＩＲ経路に沿って、回折効率、光学透過、偏光、および複屈折のうちの少なくとも１つの空間変動を提供し、基板内の光線角度または光線位置のうちの少なくとも１つの関数として、導波管基板内の光線経路に影響を及ぼし、瞳の偏移をもたらし、バンディング効果を軽減させる、複数の屈折率層、
複数の屈折率層であって、前記複数の屈折率層は、各ＴＩＲ経路に沿って、回折効率、光学透過、偏光、および複屈折のうちの少なくとも１つの空間変動を提供し、基板内の光線角度または光線位置のうちの少なくとも１つの関数として、導波管基板内の光線経路に影響を及ぼし、瞳の偏移をもたらし、バンディング効果を軽減させ、前記複数の屈折率層は、異なる屈折率の接着剤を組み込む、複数の屈折率層、
複数の屈折率層であって、前記複数の屈折率層は、各ＴＩＲ経路に沿って、回折効率、光学透過、偏光、および複屈折のうちの少なくとも１つの空間変動を提供し、基板内の光線角度または光線位置のうちの少なくとも１つの関数として、導波管基板内の光線経路に影響を及ぼし、瞳の偏移をもたらし、バンディング効果を軽減させ、前記複数の屈折率層は、整合層、等方性屈折層、ＧＲＩＮ構造、反射防止層、部分反射層、および複屈折延伸ポリマー層から成る群から選択される層を組み込む、複数の屈折率層、
の群から選択される、請求項１に記載の導波管デバイス。
【請求項９】
前記バンディング除去光学は、
少なくとも１つの入力格子および少なくとも１つの出力格子から選択された少なくとも１つの格子であって、前記選択された少なくとも１つの格子は、少なくとも２つの別個の導波管経路を提供するように構成され、前記少なくとも２つの別個の導波管経路は、任意の入射光角度に関して抽出された光の、光の非均一性を相殺し、バンディング効果を軽減する、少なくとも１つの格子、
少なくとも１つの入力格子および少なくとも１つの出力格子から選択された少なくとも１つの格子であって、前記選択された少なくとも１つの格子は、少なくとも２つの別個の導波管経路を提供するように構成され、前記少なくとも２つの別個の導波管経路は、任意の入射光角度に関して抽出された光の、光の非均一性を相殺し、バンディング効果を軽減し、前記選択された格子は、少なくとも１つの折畳格子射出瞳エクスパンダと併用される交差傾角格子を有する、少なくとも１つの格子、
少なくとも１つの方向に沿って空間的に変動され、瞳を偏移させ、バンディング効果を軽減させることが可能な可変有効開口数（ＮＡ）を提供する、マイクロディスプレイ内の光学コンポーネント、
少なくとも１つの入力格子または少なくとも１つの出力格子のいずれかの少なくとも１つの格子内の複数の格子層であり、前記複数の格子層は、前記複数の格子層が、任意の固定パターン雑音を打ち消し、瞳の偏移をもたらし、バンディング効果を軽減させるように構成されるようなものである、複数の格子層、
入力格子であり、前記入力格子は、前記入力格子を切替格子アレイとして構成することが、垂直方向および水平方向における瞳切替を提供し、瞳を偏移させ、バンディング効果を軽減させるように、選択的に切替可能な要素のアレイとして構成される、入力格子
の群から選択される、請求項１に記載の導波管デバイス。
【請求項１０】
前記バンディング除去光学は、
瞳を偏移させ、バンディング効果を軽減させる、空間可変開口数を投影するマイクロディスプレイ、
傾斜付きマイクロディスプレイであって、前記傾斜付きマイクロディスプレイは、傾斜された長方形射出瞳を投影するように構成され、これにより、前記射出瞳の断面が画角に伴って変動し、バンディング効果が軽減されるようにする、傾斜付きマイクロディスプレイ、
傾斜付きマイクロディスプレイであって、前記傾斜付きマイクロディスプレイは、バンディング効果が１つの拡張軸に沿って軽減されるように、光線を角度付け、種々の投影された瞳を入射光の角度毎に前記光学基板に沿って異なる位置に形成するように構成される、傾斜付きマイクロディスプレイ、
光吸収フィルムであって、前記光吸収フィルムは、そうでなければバンディングを引き起こすであろう入射光の部分が、除去され、バンディング効果を軽減するように、前記光学基板の縁に隣接する、光吸収フィルム、
入力格子であって、前記入力格子は、前記光が、任意の所与の入射光方向に前記入力格子の縁に対する一意の変位を有し、瞳を偏移させ、バンディング効果を排除または軽減するように構成される、入力格子
の群から選択される、請求項１に記載の導波管デバイス。
【請求項１１】
前記光学基板は、厚さＤを有し、前記バンディング除去光学は、
プリズムであって、前記プリズムは、前記光源からの射出瞳の角度と前記光学基板内のＴＩＲ角度との間の線形関係が、ＴＩＲ経路角度が２Ｄ  ｔａｎ（Ｕ）によって画定されるようなＵであるときに生じる、ＴＩＲ光線経路に沿った連続光抽出間の間隙をもたらさないように、前記光学基板に結合される、プリズム、
第１の光吸収フィルムおよび第２の光吸収フィルムであって、前記第１の光吸収フィルムは、入力格子を含みかつ前記光学基板に隣接して配置される入力基板の縁に隣接して配置され、前記第２の光吸収フィルムは、前記入力基板と反対の前記光学基板に隣接して取り付けられる、第２の基板の縁に隣接して配置され、これにより、入射光が、ＴＩＲ経路角度が２Ｄ  ｔａｎ（Ｕ）によって画定されるようなＵであるときに生じるＴＩＲ光線経路に沿った連続光抽出の間の間隙をもたらさないようにする、第１の光吸収フィルムおよび第２の光吸収フィルム、
第１の光吸収フィルムおよび第２の光吸収フィルムであって、前記第１の光吸収フィルムは、入力格子を含みかつ前記光学基板に隣接して配置される入力基板の縁に隣接して配置され、前記第２の光吸収フィルムは、前記入力基板と反対の前記光学基板に隣接して取り付けられる、第２の基板の縁に隣接して配置され、これにより、入射光が、ＴＩＲ経路角度が２Ｄ  ｔａｎ（Ｕ）によって画定されるようなＵであるときに生じるＴＩＲ光線経路に沿った連続光抽出の間の間隙をもたらさないようにし、前記光学基板の厚さは、３．４ｍｍであり、前記第２の基板の厚さは、０．５ｍｍであり、前記入力基板は、前記入力格子を挟み込む２つの０．５ｍｍ厚ガラス基板を含む、第１の光吸収フィルムおよび第２の光吸収フィルム、
の群から選択される、請求項１に記載の導波管デバイス。
【請求項１２】
前記デバイスは、頭部搭載型ディスプレイ（ＨＭＤ）およびヘッドアップディスプレイ（ＨＵＤ）の群から選択されるディスプレイの中に統合される、請求項１に記載の導波管デバイス。
【請求項１３】
ヒトの眼が、前記ディスプレイの射出瞳に伴って位置付けられる、および
前記デバイスは、眼トラッカを組み込む、
のうちの少なくとも１つである、請求項１２に記載の導波管デバイス。
【請求項１４】
前記光源と、マイクロディスプレイパネルと、前記光をコリメートするための光学とをさらに備える、入力画像生成器をさらに備える、請求項１に記載の導波管デバイス。
【請求項１５】
前記光源は、少なくとも１つのレーザおよび少なくとも１つの発光ダイオード（ＬＥＤ）の群から選択される、請求項１に記載の導波管デバイス。
【請求項１６】
前記光結合器は、入力格子およびプリズムの群から選択される、請求項１に記載の導波管デバイス。
【請求項１７】
前記光抽出器は、入力格子である、請求項１に記載の導波管デバイス。
【請求項１８】
導波管デバイスの出力照明内のバンディングを軽減させる方法であって、
光源から入射光を生産することと、
前記入射光に光結合器を通過させ、前記入射光を光学基板の中に結合し、これにより、前記結合された光が前記光学基板内で全内部反射（ＴＩＲ）を受けるようにすることと、
光抽出器を介して、前記光学基板からのＴＩＲ光を抽出し、前記出力照明を生産することと
を含み、
前記光は、バンディング除去光学が前記出力照明のバンディング効果を軽減させるように、前記導波管デバイスのバンディング除去光学を通過する、方法。
【請求項１９】
前記出力照明は、１０％または２０％のいずれか一方未満の空間非均一性を有する、請求項１８に記載の方法。
【請求項２０】
前記バンディング除去光学は、
有効入力開口であって、前記有効入力開口は、前記光学基板が厚さＤを有するとき、前記入力開口が、前記光学基板内のＴＩＲ角度Ｕを提供するように構成され、前記角度Ｕが、２Ｄ  ｔａｎ（Ｕ）によって計算されるようなものである、有効入力開口、
有効入力開口であって、前記有効入力開口は、前記光学基板が厚さＤを有するとき、前記入力開口が、前記光学基板内のＴＩＲ角度Ｕを提供するように構成され、前記角度Ｕが、２Ｄ  ｔａｎ（Ｕ）によって計算されるようなものであり、前記バンディング除去光学は、ＴＩＲ経路に沿って、回折効率、光学透過、偏光、または複屈折のうちの少なくとも１つの前記光の空間変動を提供する、有効入力開口、
少なくとも１つの入力格子および少なくとも１つの出力格子から選択された少なくとも１つの格子であって、前記選択された少なくとも１つの格子は、複数の格子を有するように構成され、各格子が、小瞳偏移を提供し、バンディングを軽減させる、少なくとも１つの格子、
少なくとも１つの入力格子および少なくとも１つの出力格子から選択された少なくとも１つの格子であって、前記選択された少なくとも１つの格子は、電圧が印加されると、オンになり、瞳を偏移させ、バンディング効果を軽減させる、スタックされた切替可能な格子として構成される、少なくとも１つの格子、
少なくとも１つの入力格子および少なくとも１つの出力格子から選択された少なくとも１つの格子であって、前記選択された少なくとも１つの格子は、電圧が印加されると、特定の要素をオンにし、瞳を偏移させ、バンディング効果を軽減させることが可能な、切替可能な格子要素のアレイとして構成される、少なくとも１つの格子、
少なくとも１つの入力格子および少なくとも１つの出力格子から選択された少なくとも１つの格子であって、前記選択された少なくとも１つの格子は、電圧が印加されると、特定の要素をオンにし、瞳を偏移させ、バンディング効果を軽減させることが可能な、切替可能な格子要素のアレイとして構成され、前記選択された少なくとも１つの格子は、複数の回転Ｋベクトルを有する、少なくとも１つの格子、
少なくとも１つの入力格子および少なくとも１つの出力格子から選択された少なくとも１つの格子であって、前記選択された少なくとも１つの格子は、瞳を偏移させ、バンディング効果を軽減させるように構成される、複数の受動格子層であるように構成される、少なくとも１つの格子、
１つ以上の屈折率層であって、前記１つ以上の屈折率層は、前記１つ以上の屈折率層が、光線角度または光線位置のうちの少なくとも１つの関数として、前記光学基板内の光線経路に影響を及ぼし、瞳を偏移させ、バンディング効果を軽減させるように、前記光学基板内に配置される、１つ以上の屈折率層、
１つ以上の屈折率層であって、前記１つ以上の屈折率層は、前記１つ以上の屈折率層が、光線角度または光線位置のうちの少なくとも１つの関数として、前記光学基板内の光線経路に影響を及ぼし、瞳を偏移させ、バンディング効果を軽減させるように、前記光学基板内に配置され、前記１つ以上の屈折率層の少なくとも１つの屈折率層は、勾配屈折率（ＧＲＩＮ）媒体である、１つ以上の屈折率層、
の群から選択される、請求項１８に記載の方法。
【請求項２１】
前記導波管デバイスはさらに、少なくとも１つの反射表面を前記光学基板の縁の少なくとも一部上に備え、前記バンディング除去光学は、１つ以上の屈折率層であり、前記１つ以上の屈折率層は、前記１つ以上の屈折率層が、瞳を偏移させ、バンディング効果を軽減させるように構成されるように、前記少なくとも１つの反射表面に隣接して配置される、請求項１８に記載の方法。
【請求項２２】
前記バンディング除去光学は、
１つ以上の屈折率層であり、前記１つ以上の屈折率層は、前記１つ以上の屈折率層が、瞳を偏移させ、バンディング効果を軽減させるように構成されるように、前記光学基板内に配置される、１つ以上の屈折率層、
前縁を有する入力格子であって、前記前縁は、前記入力格子の前記前縁に対する光の光線束の一意の変位が、任意の所与の入射光方向のために前記入力格子によって提供され、瞳を偏移させ、バンディング効果を軽減させるように、前記入射光を結合することが可能である、入力格子、
入力格子であって、前記入力格子は、前記入射光の複数のコリメートされた入射光線経路が、光線経路入力角度によって決定されるような異なるＴＩＲ光線経路の中に回折され、投影された瞳が、前記複数のコリメートされた入射光線経路毎に、前記光学基板内の一意の場所に形成され、バンディング効果を軽減させることが可能であるように、回折効率の変動を有するように構成される、入力格子、
入力格子であって、前記入力格子は、前記入射光の複数のコリメートされた入射光線経路が、光線経路入力角度によって決定されるような異なるＴＩＲ光線経路の中に回折され、投影された瞳が、前記複数のコリメートされた入射光線経路毎に、前記光学基板内の一意の場所に形成され、バンディング効果を軽減させることが可能であるように、回折効率の変動を有するように構成され、前記回折効率の変動は、主導波管方向に沿って変動する、入力格子、
入力格子であって、前記入力格子は、前記入射光の複数のコリメートされた入射光線経路が、光線経路入力角度によって決定されるような異なるＴＩＲ光線経路の中に回折され、投影された瞳が、前記複数のコリメートされた入射光線経路毎に、前記光学基板内の一意の場所に形成され、バンディング効果を軽減させることが可能であるように、回折効率の変動を有するように構成され、前記回折効率の変動は、前記入力格子の開口にわたって２次元で変動する、入力格子、
部分反射層であって、前記部分反射層は、前記部分反射層が、入射光を透過光および反射光に分離し、瞳を偏移させ、バンディング効果を軽減させるように、前記光学基板内に配置される、部分反射層、
偏光修正層であって、前記偏光修正層は、前記偏光修正層が、入射光を透過光および反射光に分離し、瞳を偏移させ、バンディング効果を軽減させるように、前記光学基板内に配置される、偏光修正層、
少なくとも１つの入力格子および少なくとも１つの出力格子から選択された少なくとも１つの格子であって、前記選択された少なくとも１つの格子は、少なくとも２つの別個の導波管経路を提供するように構成され、前記少なくとも２つの別個の導波管経路は、任意の入射光角度に関して抽出された光の、光の非均一性を相殺し、バンディング効果を軽減する、少なくとも１つの格子、
少なくとも１つの入力格子および少なくとも１つの出力格子から選択された少なくとも１つの格子であって、前記選択された少なくとも１つの格子は、少なくとも２つの別個の導波管経路を提供するように構成され、前記少なくとも２つの別個の導波管経路は、任意の入射光角度に関して抽出された光の、光の非均一性を相殺し、バンディング効果を軽減し、前記選択された格子は、少なくとも１つの折畳格子射出瞳エクスパンダと併用される交差傾角格子を有する、少なくとも１つの格子、
少なくとも１つの方向に沿って空間的に変動され、瞳を偏移させ、バンディング効果を軽減させることが可能な可変有効開口数（ＮＡ）を提供する、マイクロディスプレイ内の光学コンポーネント、
少なくとも１つの入力格子または少なくとも１つの出力格子のいずれかの少なくとも１つの格子内の複数の格子層であって、前記複数の格子層は、前記複数の格子層が、任意の固定パターン雑音を打ち消し、瞳の偏移をもたらし、バンディング効果を軽減させるように構成されるようなものである、複数の格子層、
入力格子であって、前記入力格子は、前記入力格子を切替格子アレイとして構成することが、垂直方向および水平方向における瞳切替を提供し、瞳を偏移させ、バンディング効果を軽減させるように、選択的に切替可能な要素のアレイとして構成される、入力格子、
複数の屈折率層であって、各ＴＩＲ経路に沿って、回折効率、光学透過、偏光、および複屈折のうちの少なくとも１つの空間変動を提供し、基板内の光線角度または光線位置のうちの少なくとも１つの関数として、導波管基板内の光線経路に影響を及ぼし、瞳の偏移をもたらし、バンディング効果を軽減させる複数の屈折率層、
複数の屈折率層であって、各ＴＩＲ経路に沿って、回折効率、光学透過、偏光、および複屈折のうちの少なくとも１つの空間変動を提供し、基板内の光線角度または光線位置のうちの少なくとも１つの関数として、導波管基板内の光線経路に影響を及ぼし、瞳の偏移をもたらし、バンディング効果を軽減させ、前記複数の屈折率層は、異なる屈折率の接着剤を組み込む、複数の屈折率層、
複数の屈折率層であって、各ＴＩＲ経路に沿って、回折効率、光学透過、偏光、および複屈折のうちの少なくとも１つの空間変動を提供し、基板内の光線角度または光線位置のうちの少なくとも１つの関数として、導波管基板内の光線経路に影響を及ぼし、瞳の偏移をもたらし、バンディング効果を軽減させ、前記複数の屈折率層は、整合層、等方性屈折層、ＧＲＩＮ構造、反射防止層、部分反射層、および複屈折延伸ポリマー層から成る群から選択される層を組み込む、複数の屈折率層、
瞳を偏移させ、バンディング効果を軽減させる、空間可変開口数を投影するマイクロディスプレイ、
傾斜付きマイクロディスプレイであって、前記傾斜付きマイクロディスプレイは、傾斜された長方形射出瞳を投影するように構成され、これにより、前記射出瞳の断面が画角に伴って変動し、バンディング効果が軽減されるようにする、傾斜付きマイクロディスプレイ、
傾斜付きマイクロディスプレイであって、前記傾斜付きマイクロディスプレイは、バンディング効果が１つの拡張軸に沿って軽減されるように、角度光線を角度付け、種々の投影された瞳を入射光の角度毎に前記光学基板に沿って異なる位置に形成するように構成される、傾斜付きマイクロディスプレイ、
光吸収フィルムであって、前記光吸収フィルムは、そうでなければバンディングを引き起こすであろう入射光の部分が、除去され、バンディング効果を軽減するように、前記光学基板の縁に隣接する、光吸収フィルム、
入力格子であって、前記入力格子は、前記光が、任意の所与の入射光方向に前記入力格子の縁に対する一意の変位を有し、瞳を偏移させ、バンディング効果を排除または軽減するように構成される入力格子
の群から選択される、請求項１８に記載の方法。
【請求項２３】
前記光学基板は、
厚さＤであって、前記バンディング除去光学は、プリズムであり、前記プリズムは、前記光源からの射出瞳の角度と前記光学基板内のＴＩＲ角度との間の線形関係が、ＴＩＲ経路角度が２Ｄ  ｔａｎ（Ｕ）によって画定されるようなＵであるときに生じる、ＴＩＲ光線経路に沿った連続光抽出間の間隙をもたらさないように、前記光学基板に結合される、厚さＤ、
厚さＤであって、前記バンディング除去光学は、第１の光吸収フィルムおよび第２の光吸収フィルムであり、前記第１の光吸収フィルムは、入力格子を含みかつ光学基板に隣接して配置される入力基板の縁に隣接して配置され、前記第２の光吸収フィルムは、入力基板と反対の前記光学基板に隣接して取り付けられる、第２の基板の縁に隣接して配置され、これにより、入射光が、ＴＩＲ経路角度が２Ｄ  ｔａｎ（Ｕ）によって画定されるようなＵであるときに生じる、ＴＩＲ光線経路に沿った連続光抽出の間の間隙をもたらさないようにする、厚さＤ、
厚さＤであって、前記バンディング除去光学は、第１の光吸収フィルムおよび第２の光吸収フィルムであり、前記第１の光吸収フィルムは、入力格子を含みかつ光学基板に隣接して配置される入力基板の縁に隣接して配置され、前記第２の光吸収フィルムは、入力基板と反対の前記光学基板に隣接して取り付けられる、第２の基板の縁に隣接して配置され、これにより、入射光が、ＴＩＲ経路角度が２Ｄ  ｔａｎ（Ｕ）によって画定されるようなＵであるときに生じる、ＴＩＲ光線経路に沿った連続光抽出の間の間隙をもたらさないようにし、前記光学基板の厚さは、３．４ｍｍであり、前記第２の基板の厚さは、０．５ｍｍであり、前記入力基板は、前記入力格子を挟み込む２つの０．５ｍｍ厚ガラス基板を含む、厚さＤ
の群から選択される構成を有する、請求項１８に記載の方法。
【手続補正２】
【補正対象書類名】明細書
【補正対象項目名】００９６
【補正方法】変更
【補正の内容】
【００９６】
なおもさらにより多くの実施形態では、光抽出器は、入力格子である。
本発明は、例えば、以下を提供する。
（項目１）
導波管デバイスであって、
少なくとも１つの光学基板と、
少なくとも１つの光源と、
少なくとも１つの光結合器であって、前記少なくとも１つの光結合器は、一意のＴＩＲ角度が入力格子において決定されるような各光入射角によって画定されるように、ある角度帯域幅を伴う前記光源からの入射光を前記少なくとも１つの光学基板内の全内部反射（ＴＩＲ）の中に結合することが可能である、少なくとも１つの光結合器と、
前記光学基板からの光を抽出するための少なくとも１つの光抽出器と、
バンディング除去光学であって、前記バンディング除去光学は、前記抽出された光が軽減されたバンディングを有する略平坦照明プロファイルであるように、照明された瞳のバンディング効果を軽減することが可能である、バンディング除去光学と
を備える、導波管デバイス。
（項目２）
前記抽出された光は、１０％未満の空間非均一性を有する、項目１に記載の導波管デバイス。
（項目３）
前記抽出された光は、２０％未満の空間非均一性を有する、項目１に記載の導波管デバイス。
（項目４）
前記バンディング除去光学は、有効入力開口であり、前記有効入力開口は、前記光学基板が厚さＤを有するとき、前記入力開口が、前記光学基板内のＴＩＲ角度Ｕを提供するように構成され、前記角度Ｕが、２Ｄ  ｔａｎ（Ｕ）によって計算されるようなものである、項目１に記載の導波管デバイス。
（項目５）
前記バンディング除去光学は、ＴＩＲ経路に沿って、回折効率、光学透過、偏光、または複屈折のうちの少なくとも１つの前記光の空間変動を提供する、項目４に記載の導波管デバイス。
（項目６）
前記バンディング除去光学は、少なくとも１つの入力格子および少なくとも１つの出力格子から選択された少なくとも１つの格子であり、前記選択された少なくとも１つの格子は、各格子が、小瞳偏移を提供し、バンディングを軽減させるような複数の格子を有するように構成される、項目１に記載の導波管デバイス。
（項目７）
前記バンディング除去光学は、少なくとも１つの入力格子および少なくとも１つの出力格子から選択された少なくとも１つの格子であり、前記選択された少なくとも１つの格子は、電圧が印加されると、オンになり、瞳を偏移させ、バンディング効果を軽減させる、スタックされた切替可能な格子として構成される、項目１に記載の導波管デバイス。
（項目８）
前記バンディング除去光学は、少なくとも１つの入力格子および少なくとも１つの出力格子から選択された少なくとも１つの格子であり、前記選択された少なくとも１つの格子は、電圧が印加されると、特定の要素をオンにし、瞳を偏移させ、バンディング効果を軽減させる、切替可能な格子要素のアレイとして構成される、項目１に記載の導波管デバイス。
（項目９）
前記選択された少なくとも１つの格子は、複数の回転Ｋベクトルを有する、項目８に記載の導波管デバイス。
（項目１０）
前記バンディング除去光学は、少なくとも１つの入力格子および少なくとも１つの出力格子から選択された少なくとも１つの格子であり、前記選択された少なくとも１つの格子は、瞳を偏移させ、バンディング効果を軽減させるように構成される、複数の受動格子層であるように構成される、項目１に記載の導波管デバイス。
（項目１１）
前記バンディング除去光学は、１つ以上の屈折率層であり、前記１つ以上の屈折率層は、前記１つ以上の屈折率層が、光線角度または光線位置のうちの少なくとも１つの関数として、前記光学基板内の光線経路に影響を及ぼし、瞳を偏移させ、バンディング効果を軽減させるように、前記光学基板内に配置される、項目１に記載の導波管デバイス。
（項目１２）
前記１つ以上の屈折率層の少なくとも１つの屈折率層は、勾配屈折率（ＧＲＩＮ）媒体である、項目１１に記載の導波管デバイス。
（項目１３）
少なくとも１つの反射表面を前記光学基板の縁の少なくとも一部上にさらに備え、前記バンディング除去光学は、１つ以上の屈折率層であり、前記１つ以上の屈折率層は、前記１つ以上の屈折率層が、瞳を偏移させ、バンディング効果を軽減させるように構成されるように、前記少なくとも１つの反射表面に隣接して配置される、項目１に記載の導波管デバイス。
（項目１４）
前記バンディング除去光学は、１つ以上の屈折率層であり、前記１つ以上の屈折率層は、前記１つ以上の屈折率層が、瞳を偏移させ、バンディング効果を軽減させるように構成されるように、前記光学基板内に配置される、項目１に記載の導波管デバイス。
（項目１５）
前記バンディング除去光学は、入力格子であり、前記入力格子は、前記入力格子の前縁に対する光の光線束の一意の変位が、任意の所与の入射光方向のための入力格子によって提供され、瞳を偏移させ、バンディング効果を軽減させるように、前記入射光を結合することが可能な前縁を有する、項目１に記載の導波管デバイス。
（項目１６）
前記バンディング除去光学は、入力格子であり、前記入力格子は、前記入射光の複数のコリメートされた入射光線経路が、光線経路入力角度によって決定されるような異なるＴＩＲ光線経路の中に回折され、投影された瞳が、前記複数のコリメートされた入射光線経路毎に、前記光学基板内の一意の場所に形成され、バンディング効果を軽減させることが可能であるように、回折効率の変動を有するように構成される、項目１に記載の導波管デバイス。
（項目１７）
前記回折効率の変動は、主導波管方向に沿って変動する、項目１６に記載の導波管デバイス。
（項目１８）
前記回折効率の変動は、前記入力格子の開口にわたって２次元で変動する、項目１６に記載の導波管デバイス。
（項目１９）
前記バンディング除去光学は、部分反射層であり、前記部分反射層は、前記部分反射層が、入射光を透過光および反射光に分離し、瞳を偏移させ、バンディング効果を軽減させるように、前記光学基板内に配置される、項目１に記載の導波管デバイス。
（項目２０）
前記バンディング除去光学は、偏光修正層であり、前記偏光修正層は、前記偏光修正層が、入射光を透過光および反射光に分離し、瞳を偏移させ、バンディング効果を軽減させるように、前記光学基板内に配置される、項目１に記載の導波管デバイス。
（項目２１）
前記バンディング除去光学は、少なくとも１つの入力格子および少なくとも１つの出力格子から選択された少なくとも１つの格子であり、前記選択された少なくとも１つの格子は、任意の入射光角度に関して抽出された光の、光の非均一性を相殺し、バンディング効果を軽減する、少なくとも２つの別個の導波管経路を提供するように構成される、項目１に記載の導波管デバイス。
（項目２２）
前記選択された格子は、少なくとも１つの折畳格子射出瞳エクスパンダと併用される、交差傾角格子を有する、項目２１に記載の導波管デバイス。
（項目２３）
前記バンディング除去光学は、少なくとも１つの方向に沿って空間的に変動され、瞳を偏移させ、バンディング効果を軽減させることが可能な可変有効開口数（ＮＡ）を提供する、マイクロディスプレイ内の光学コンポーネントである、項目１に記載の導波管デバイス。
（項目２４）
前記バンディング除去光学は、少なくとも１つの入力格子または少なくとも１つの出力格子のいずれかの少なくとも１つの格子内の複数の格子層であり、前記複数の格子層は、前記複数の格子層が、任意の固定パターン雑音を打ち消し、瞳の偏移をもたらし、バンディング効果を軽減させるように構成されるようなものである、項目１に記載の導波管デバイス。
（項目２５）
前記バンディング除去光学は、入力格子であり、前記入力格子は、前記入力格子を切替格子アレイとして構成することが、垂直および水平方向における瞳切替を提供し、瞳を偏移させ、バンディング効果を軽減させるように、選択的に切替可能な要素のアレイとして構成される、項目１に記載の導波管デバイス。
（項目２６）
前記バンディング除去光学は、複数の屈折率層であり、前記複数の屈折率層は、各ＴＩＲ経路に沿って、回折効率、光学透過、偏光、および複屈折のうちの少なくとも１つの空間変動を提供し、基板内の光線角度または光線位置のうちの少なくとも１つの関数として、導波管基板内の光線経路に影響を及ぼし、瞳の偏移をもたらし、バンディング効果を軽減させる、項目１に記載の導波管デバイス。
（項目２７）
前記複数の屈折率層は、異なる屈折率の接着剤を組み込む、項目２６に記載の導波管デバイス。
（項目２８）
前記複数の屈折率層は、整合層、等方性屈折層、ＧＲＩＮ構造、反射防止層、部分反射層、および複屈折延伸ポリマー層から成る群から選択される層を組み込む、項目２６に記載の導波管デバイス。
（項目２９）
前記バンディング除去光学は、瞳を偏移させ、バンディング効果を軽減させる、空間可変開口数を投影させる、マイクロディスプレイである、項目１に記載の導波管デバイス。
（項目３０）
前記バンディング除去光学は、傾斜付きマイクロディスプレイであり、前記傾斜付きマイクロディスプレイは、前記射出瞳の断面が画角に伴って変動し、バンディング効果が軽減されるように、傾斜された長方形射出瞳を投影するように構成される、項目１に記載の導波管デバイス。
（項目３１）
前記バンディング除去光学は、傾斜付きマイクロディスプレイであり、前記傾斜付きマイクロディスプレイは、バンディング効果が１つの拡張軸に沿って軽減されるように、光線を角度付け、種々の投影された瞳を入射角光毎に前記光学基板に沿って異なる位置に形成するように構成される、項目１に記載の導波管デバイス。
（項目３２）
前記光学基板は、厚さＤを有し、前記バンディング除去光学は、プリズムであり、前記プリズムは、前記光源からの射出瞳の角度と前記光学基板内のＴＩＲ角度との間の線形関係が、ＴＩＲ経路角度が２Ｄ  ｔａｎ（Ｕ）によって画定されるようなＵであるときに生じる、ＴＩＲ光線経路に沿った連続光抽出間の間隙をもたらさないように、前記光学基板に結合される、項目１に記載の導波管デバイス。
（項目３３）
前記バンディング除去光学は、光吸収フィルムであり、前記光吸収フィルムは、そうでなければバンディングを引き起こすであろう入射光の部分が、除去され、バンディング効果を軽減するように、前記光学基板の縁に隣接する、項目１に記載の導波管デバイス。
（項目３４）
前記光学基板は、厚さＤを有し、前記バンディング除去光学は、入射光が、ＴＩＲ経路角度が２Ｄ  ｔａｎ（Ｕ）によって画定されるようなＵであるときに生じる、ＴＩＲ光線経路に沿った連続光抽出の間の間隙をもたらさないような、第１の光吸収フィルムおよび第２の光吸収フィルムであり、前記第１の光吸収フィルムは、入力格子を含み、前記光学基板に隣接して配置される、入力基板の縁に隣接して配置され、前記第２の光吸収フィルムは、前記入力基板と反対の前記光学基板に隣接して取り付けられる、第２の基板の縁に隣接して配置される、項目１に記載の導波管デバイス。
（項目３５）
前記光学基板の厚さは、３．４ｍｍであり、前記第２の基板の厚さは、０．５ｍｍであり、前記入力基板は、前記入力格子を挟み込む２つの０．５ｍｍ厚ガラス基板を含む、項目３４に記載の導波管デバイス。
（項目３６）
前記バンディング除去光学は、入力格子であり、前記入力格子は、前記光が、任意の所与の入射光方向に前記入力格子の縁に対する一意の変位を有し、瞳を偏移させ、バンディング効果を排除または軽減するように構成される、項目１に記載の導波管デバイス。
（項目３７）
前記デバイスは、頭部搭載型ディスプレイ（ＨＭＤ）およびヘッドアップディスプレイ（ＨＵＤ）の群から選択されるディスプレイの中に統合される、項目１に記載の導波管デバイス。
（項目３８）
ヒトの眼が、前記ディスプレイの射出瞳に伴って位置付けられる、項目３７に記載の導波管デバイス。
（項目３９）
前記デバイスは、眼トラッカを組み込む、項目３７に記載の導波管デバイス。
（項目４０）
前記光源と、マイクロディスプレイパネルと、前記光をコリメートするための光学とをさらに備える、入力画像生成器をさらに備える、項目１に記載の導波管デバイス。
（項目４１）
前記光源は、少なくとも１つのレーザである、項目１に記載の導波管デバイス。
（項目４２）
前記光源は、少なくとも１つの発光ダイオード（ＬＥＤ）である、項目１に記載の導波管デバイス。
（項目４３）
前記光結合器は、入力格子である、項目１に記載の導波管デバイス。
（項目４４）
前記光結合器は、プリズムである、項目１に記載の導波管デバイス。
（項目４５）
前記光抽出器は、入力格子である、項目１に記載の導波管デバイス。
（項目４６）
カラー導波管デバイスであって、
相互の上にスタックされた少なくとも２つの光学基板と、
少なくとも１つの光源と、
少なくとも１つの光結合器であって、前記少なくとも１つの光結合器は、一意のＴＩＲ角度が前記入力格子において決定されるような各光入射角によって画定されるように、ある角度帯域幅を伴う前記光源からの入射光を前記少なくとも１つの光学基板内の全内部反射（ＴＩＲ）の中に結合することが可能である、少なくとも１つの光結合器と、
前記光学基板からの光を抽出するための少なくとも１つの光抽出器と、
少なくとも２つの入力絞りであって、各入力絞りは、異なる光学基板内にあり、それぞれ、異なる平面内にあり、各入力絞りは、外側ダイクロイック部分を含み、瞳を偏移させ、色バンディングを軽減させる、少なくとも２つの入力絞りと
を備える、カラー導波管デバイス。
（項目４７）
各入力絞りはまた、内側位相補償コーティングを含み、位相偏移を補償する、項目４６に記載のカラー導波管デバイス。
（項目４８）
前記補償コーティングは、ＳｉＯ２を含む、項目４７に記載のカラー導波管デバイス。
（項目４９）
導波管デバイスの出力照明内のバンディングを軽減させる方法であって、
光源からの入射光を生産することと、
前記入射光を光結合器を通して通過させ、結合された光が光学基板内で全内部反射（ＴＩＲ）を受けるように、前記入射光を光学基板の中に結合することと、
光抽出器を介して、前記光学基板からのＴＩＲ光を抽出し、前記出力照明を生産することと
を含み、
前記光は、バンディング除去光学が前記出力照明のバンディング効果を軽減させるように、前記導波管デバイスのバンディング除去光学を通して通過する、方法。
（項目５０）
前記出力照明は、１０％未満の空間非均一性を有する、項目４９に記載の方法。
（項目５１）
前記出力照明は、２０％未満の空間非均一性を有する、項目４９に記載の方法。
（項目５２）
前記バンディング除去光学は、有効入力開口であり、前記有効入力開口は、前記光学基板が厚さＤを有するとき、前記入力開口が、前記光学基板内のＴＩＲ角度Ｕを提供するように構成され、前記角度Ｕが、２Ｄ  ｔａｎ（Ｕ）によって計算されるようなものである、項目４９に記載の方法。
（項目５３）
前記バンディング除去光学は、ＴＩＲ経路に沿って、回折効率、光学透過、偏光、または複屈折のうちの少なくとも１つの前記光の空間変動を提供する、項目５２に記載の方法。
（項目５４）
前記バンディング除去光学は、少なくとも１つの入力格子および少なくとも１つの出力格子から選択された少なくとも１つの格子であり、前記選択された少なくとも１つの格子は、各格子が、小瞳偏移を提供し、バンディングを軽減させるような複数の格子を有するように構成される、項目４９に記載の方法。
（項目５５）
前記バンディング除去光学は、少なくとも１つの入力格子および少なくとも１つの出力格子から選択された少なくとも１つの格子であり、前記選択された少なくとも１つの格子は、電圧が印加されると、オンになり、瞳を偏移させ、バンディング効果を軽減させる、スタックされた切替可能な格子として構成される、項目４９に記載の方法。
（項目５６）
前記バンディング除去光学は、少なくとも１つの入力格子および少なくとも１つの出力格子から選択された少なくとも１つの格子であり、前記選択された少なくとも１つの格子は、電圧が印加されると、特定の要素をオンにし、瞳を偏移させ、バンディング効果を軽減させる、切替可能な格子要素のアレイとして構成される、項目４９に記載の方法。
（項目５７）
前記選択された少なくとも１つの格子は、複数の回転Ｋベクトルを有する、項目５６に記載の方法。
（項目５８）
前記バンディング除去光学は、少なくとも１つの入力格子および少なくとも１つの出力格子から選択された少なくとも１つの格子であり、前記選択された少なくとも１つの格子は、瞳を偏移させ、バンディング効果を軽減させるように構成される、複数の受動格子層であるように構成される、項目４９に記載の方法。
（項目５９）
前記バンディング除去光学は、１つ以上の屈折率層であり、前記１つ以上の屈折率層は、前記１つ以上の屈折率層が、光線角度または光線位置のうちの少なくとも１つの関数として、前記光学基板内の光線経路に影響を及ぼし、瞳を偏移させ、バンディング効果を軽減させるように、前記光学基板内に配置される、項目４９に記載の方法。
（項目６０）
前記１つ以上の屈折率層の少なくとも１つの屈折率層は、勾配屈折率（ＧＲＩＮ）媒体である、項目５９に記載の方法。
（項目６１）
前記導波管デバイスはさらに、少なくとも１つの反射表面を前記光学基板の縁の少なくとも一部上に備え、前記バンディング除去光学は、１つ以上の屈折率層であり、前記１つ以上の屈折率層は、前記１つ以上の屈折率層が、瞳を偏移させ、バンディング効果を軽減させるように構成されるように、前記少なくとも１つの反射表面に隣接して配置される、項目４９に記載の方法。
（項目６２）
前記バンディング除去光学は、１つ以上の屈折率層であり、前記１つ以上の屈折率層は、前記１つ以上の屈折率層が、瞳を偏移させ、バンディング効果を軽減させるように構成されるように、前記光学基板内に配置される、項目４９に記載の方法。
（項目６３）
前記バンディング除去光学は、入力格子であり、前記入力格子は、前記入力格子の前縁に対する光の光線束の一意の変位が、任意の所与の入射光方向のための入力格子によって提供され、瞳を偏移させ、バンディング効果を軽減させるように、前記入射光を結合することが可能な前縁を有する、項目４９に記載の方法。
（項目６４）
前記バンディング除去光学は、入力格子であり、前記入力格子は、前記入射光の複数のコリメートされた入射光線経路が、光線経路入力角度によって決定されるような異なるＴＩＲ光線経路の中に回折され、投影された瞳が、前記複数のコリメートされた入射光線経路毎に、前記光学基板内の一意の場所に形成され、バンディング効果を軽減させることが可能であるように、回折効率の変動を有するように構成される、項目４９に記載の方法。
（項目６５）
前記回折効率の変動は、主導波管方向に沿って変動する、項目６４に記載の方法。
（項目６６）
前記回折効率の変動は、前記入力格子の開口にわたって２次元で変動する、項目６５に記載の方法。
（項目６７）
前記バンディング除去光学は、部分反射層であり、前記部分反射層は、前記部分反射層が、入射光を透過光および反射光に分離し、瞳を偏移させ、バンディング効果を軽減させるように、前記光学基板内に配置される、項目４９に記載の方法。
（項目６８）
前記バンディング除去光学は、偏光修正層であり、前記偏光修正層は、前記偏光修正層が、入射光を透過光および反射光に分離し、瞳を偏移させ、バンディング効果を軽減させるように、前記光学基板内に配置される、項目４９に記載の方法。
（項目６９）
前記バンディング除去光学は、少なくとも１つの入力格子および少なくとも１つの出力格子から選択された少なくとも１つの格子であり、前記選択された少なくとも１つの格子は、任意の入射光角度に関して抽出された光の、光の非均一性を相殺し、バンディング効果を軽減する、少なくとも２つの別個の導波管経路を提供するように構成される、項目４９に記載の方法。
（項目７０）
前記選択された格子は、少なくとも１つの折畳格子射出瞳エクスパンダと併用される、交差傾角格子を有する、項目６９に記載の方法。
（項目７１）
前記バンディング除去光学は、少なくとも１つの方向に沿って空間的に変動され、瞳を偏移させ、バンディング効果を軽減させることが可能な可変有効開口数（ＮＡ）を提供する、マイクロディスプレイ内の光学コンポーネントである、項目４９に記載の方法。
（項目７２）
前記バンディング除去光学は、少なくとも１つの入力格子または少なくとも１つの出力格子のいずれかの少なくとも１つの格子内の複数の格子層であり、前記複数の格子層は、前記複数の格子層が、任意の固定パターン雑音を打ち消し、瞳の偏移をもたらし、バンディング効果を軽減させるように構成されるようなものである、項目４９に記載の方法。
（項目７３）
前記バンディング除去光学は、入力格子であり、前記入力格子は、前記入力格子を切替格子アレイとして構成することが、垂直および水平方向における瞳切替を提供し、瞳を偏移させ、バンディング効果を軽減させるように、選択的に切替可能な要素のアレイとして構成される、項目４９に記載の方法。
（項目７４）
前記バンディング除去光学は、各ＴＩＲ経路に沿って、回折効率、光学透過、偏光、および複屈折のうちの少なくとも１つの空間変動を提供し、基板内の光線角度または光線位置のうちの少なくとも１つの関数として、導波管基板内の光線経路に影響を及ぼし、瞳の偏移をもたらし、バンディング効果を軽減させる、複数の屈折率層である、項目４９に記載の方法。
（項目７５）
前記複数の屈折率層は、異なる屈折率の接着剤を組み込む、項目７４に記載の方法。
（項目７６）
前記複数の屈折率層は、整合層、等方性屈折層、ＧＲＩＮ構造、反射防止層、部分反射層、および複屈折延伸ポリマー層から成る群から選択される層を組み込む、項目７４に記載の方法。
（項目７７）
前記バンディング除去光学は、瞳を偏移させ、バンディング効果を軽減させる、空間可変開口数を投影させる、マイクロディスプレイである、項目４９に記載の方法。
（項目７８）
前記バンディング除去光学は、傾斜付きマイクロディスプレイであり、前記傾斜付きマイクロディスプレイは、前記射出瞳の断面が画角に伴って変動し、バンディング効果が軽減されるように、傾斜された長方形射出瞳を投影するように構成される、項目４９に記載の方法。
（項目７９）
前記バンディング除去光学は、傾斜付きマイクロディスプレイであり、前記傾斜付きマイクロディスプレイは、バンディング効果が１つの拡張軸に沿って軽減されるように、角度光線を角度付け、種々の投影された瞳を入射角光毎に前記光学基板に沿って異なる位置に形成するように構成される、項目４９に記載の方法。
（項目８０）
前記光学基板は、厚さＤを有し、前記バンディング除去光学は、プリズムであり、前記プリズムは、前記光源からの射出瞳の角度と前記光学基板内のＴＩＲ角度との間の線形関係が、ＴＩＲ経路角度が２Ｄ  ｔａｎ（Ｕ）によって画定されるようなＵであるときに生じる、ＴＩＲ光線経路に沿った連続光抽出間の間隙をもたらさないように、前記光学基板に結合される、項目４９に記載の方法。
（項目８１）
前記バンディング除去光学は、光吸収フィルムであり、前記光吸収フィルムは、そうでなければバンディングを引き起こすであろう入射光の部分が、除去され、バンディング効果を軽減するように、前記光学基板の縁に隣接する、項目４９に記載の方法。
（項目８２）
前記光学基板は、厚さＤを有し、前記バンディング除去光学は、入射光が、ＴＩＲ経路角度が２Ｄ  ｔａｎ（Ｕ）によって画定されるようなＵであるときに生じる、ＴＩＲ光線経路に沿った連続光抽出の間の間隙をもたらさないような、第１の光吸収フィルムおよび第２の光吸収フィルムであり、前記第１の光吸収フィルムは、入力格子を含み、光学基板に隣接して配置される、入力基板の縁に隣接して配置され、前記第２の光吸収フィルムは、入力基板と反対の前記光学基板に隣接して取り付けられる、第２の基板の縁に隣接して配置される、項目４９に記載の方法。
（項目８３）
前記光学基板の厚さは、３．４ｍｍであり、前記第２の基板の厚さは、０．５ｍｍであり、前記入力基板は、前記入力格子を挟み込む２つの０．５ｍｍ厚ガラス基板を含む、項目８２に記載の方法。
（項目８４）
前記バンディング除去光学は、入力格子であり、前記入力格子は、前記光が、任意の所与の入射光方向に前記入力格子の縁に対する一意の変位を有し、瞳を偏移させ、バンディング効果を排除または軽減するように構成される、項目４９に記載の方法。
（項目８５）
前記方法は、頭部搭載型ディスプレイ（ＨＭＤ）およびヘッドアップディスプレイ（ＨＵＤ）の群から選択されるディスプレイによって実施される、項目４９に記載の方法。
（項目８６）
ヒトの眼が、前記ディスプレイの射出瞳に伴って位置付けられる、項目８５に記載の方法。
（項目８７）
前記ディスプレイは、眼トラッカを組み込む、項目８５に記載の方法。
（項目８８）
前記導波管デバイスはさらに、前記光源と、マイクロディスプレイパネルと、前記光をコリメートするための光学とをさらに備える、入力画像生成器を備える、項目４９に記載の方法。
（項目８９）
前記光源は、少なくとも１つのレーザである、項目４９に記載の方法。
（項目９０）
前記光源は、少なくとも１つの発光ダイオード（ＬＥＤ）である、項目４９に記載の方法。
（項目９１）
前記光結合器は、入力格子である、項目４９に記載の方法。
（項目９２）
前記光結合器は、プリズムである、項目４９に記載の方法。
（項目９３）
前記光抽出器は、入力格子である、項目４９に記載の方法。